(57)【要約】【課題】マーカーを縁起物・マスコットとするのに適する形象を備え、かつ、打ったボールの止まった位置を指示するようボールに代えてコースにおいたときに、離れたところから容易に見出せる標識能力のよい構成のものとする。【解決手段】平盤型に成形したマーカーの上面側に、所定の観念を有する立体形状のフィギュアを一体的に保持せしめ、マーカーの下面側に、ゴルフキャップの庇に嵌装するクリップの、鉄材よりなる磁性の吸着部に対し磁力により吸着するマグネットを装着する。【選択図】図１１
0003149741.tif 000002
【実用新案登録請求の範囲】
【請求項１】
平盤型に成形したマーカーの上面側に、所定の観念を有する立体形状のフィギュアを一体的に保持せしめ、マーカーの下面側に、ゴルフキャップの庇に嵌装するクリップの、鉄材よりなる磁性の吸着部に対し磁力により吸着するマグネットを装着したことを特徴とするゴルフゲーム用のマーカー。
【請求項２】
平盤型に成形したマーカーの上面側に立体形状・立体造形のフィギュアを、一体的に取り付け保持せしめ、マーカーの下面側には、マグネットを装着したフィギュア付きマーカーと、平盤型のマーカーの下面側にマグネットを装着したマーカーと、ゴルフキャップの庇に対し挟着する一対のバネ片よりなるクリップ状の装着部を有し、その装着部の、上下の両面に磁石に感応して吸着させる鉄材よりなる吸着部をそれぞれ設けているクリップと、からなり、クリップの上面側の吸着部に、フィギュア付きのマーカーを、マグネットの吸着により保持せしめ、クリップの下面側の吸着部に、平盤型のマーカーをマグネットの吸着により保持せしめたゴルフゲーム用のマーカー。
【考案の詳細な説明】
【技術分野】
【０００１】
本考案は、ゴルフコースでのゴルフのプレーにおいて、打ったゴルフボールが止まったところで、次のプレーヤーのプレーの邪魔にならないように、そのゴルフボールを拾い上げる際に、そのゴルフボールが占めていた位置に、標識として、ボールに代えて置いておくように用いるマーカーについての考案に関する。
【背景技術】
【０００２】
ゴルフのプレーの際に、打ったゴルフボールを、それが位置していた場所から拾い上げ、代わりにボールが位置していた場所に置くように用いるマーカーは、通常、上面側が平らで、下面側に土に刺し込む針状部を設けた鋲状に形成してあり、プレーヤーは、これをポケットに所持していて、プレーの際の、打球をそれが停止している位置から取り上げるときに、ボールのあった所にこのマーカーを刺し込んで、位置をしるし、他のプレーヤーの打球が、この位置に転がってきても、平らな上面の上を支障なく通過していくようにしている。
【０００３】
このマーカーには、土中に刺し込むように設ける針部を取り除いて、図１・図２に示しているように、上下の面を平面状にしたコイン状のものも、ルールで認められ使用されている。この上下の両面を平面としたコイン状のマーカー１は、平面とした面に、色模様や図柄を施すことでしゃれたものに形成されることから、鋲状のマーカーにかわって多くのプレーヤーに愛用されるようになってきている。そして、このコイン状のマーカー１は、それの上下の平らな面のうちの、図柄・模様を施さない裏面となる下面側の中央部位に、円盤状に成形した磁石Ｍｇを取り付けておき、これを、図３に示しているように、プレーヤーが被るゴルフキャップ２の庇（鍔）２０に、挟持片３０で挟み付けて装着しておくクリップ３の上面側に載せ、鉄などの磁性に感応する金属材で形成しておくクリップ３の上面側に、マーカー１の下面側に設けた磁石Ｍｇの磁力により吸着させておくことで、常時、帽子２の庇２０上に保持しておき、プレー中におけるマーカー１を必要とするときに、帽子２の庇２０に手を掛けてこのマーカー１を押さえ、クリップ３の上面に沿い滑らせるように動かしてクリップ３から外し、打ったゴルフボールに代えて、コースの地表に置くように用いられることで、必要とするときに、鋲形のマーカーのように、ポケットの中から探り出す手間がいらない、使い勝手のよいものとなっている。
【０００４】
ゴルフのプレーに際して用いるマーカーには、鋲形の普通のもの、及び前述のコイン形のものを含めて、上面側を平面にしてあることで、コースの芝が深いと、打ったボールの位置に、ボールと入れ代えて置いたとき、このマーカーが草の中に埋没するようになり、置いた直後は、上から見ることで存在位置が良く判るが、少し離れると判らなくなり標識としての機能を果たさないようになる問題がある。
【０００５】
この問題は、マーカーの上面側に、標柱のように立ち上がる突起物を設けておけば、草の深い所にマーカーを置いたときにも、突起物が草から突出してよく見えることで、これを標識とすることで、すぐに探し出せるようになって、有効に対処し得るようになる。
【０００６】
しかし、このように、マーカーの上面側に突起物を設けることは、グリーンのカップ近くのゾーンなど、プレーヤーがこんでくるところでは、他のプレーヤーの打球が、マーカーの置かれているところを通過するようにころがったときに、マーカーの上面側に形成してある突起物に当たり、プレーが阻害されるおそれがあることからマナーとしては勧められない。
【０００７】
また、マーカーのうちで、平盤型・コイン型に形成してあるマーカーは、その形状と、上面側に施された色彩・模様・図柄とにより、しゃれたものに作られることで、ゴルフのゲームを楽しむ際に、ゲームの興趣をもり上げる小道具としての役割を果たすように用いられている。しかし、形状がコイン状の単純なもので、施す模様・図柄も、上面側に限られることから、変化に制約があり、良いプレーがでたときの、そのプレーの再現を望むための縁起物・マスコットとするには、特異性に欠け、縁起物として特定して用いるには適さない問題と、興趣のもり上げが不充分な問題がある。
【０００８】
この問題は、マーカーが自由な形態のものに作り得るものとすれば、このマーカーを、形象に特定の観念を有する立体造形物のフィギュアに形成した構成のものとするか、平盤型・コイン型のマーカーの上面側に特定の観念を有する立体造形物のフィギュアを一体的に取り付けた構成のものにすることで解消される。しかも、このように、マーカー自体を立体造形物のフィギュアとするか、または、フィギュアを具備するものとする手段は、前述の、マーカーを打ったボールに代えて置いたとき、離れるとそのマーカーが探しづらいという問題も解消し得るようになる。
【０００９】
ところで、マーカーの形状・態様についてのゴルフのルールにおける制約は、ゆるやかで、平盤型・コイン型・鋲型の形状・形態のもの以外のものも、例えば、カフスボタン・ネクタイピン等の身の回りの所持品を用いることが、グリーン等のこんだ場所では用いない、というマナーを守ることを前提として許されている。
【考案の概要】
【考案が解決しようとする課題】
【００１０】
マーカーを縁起物・マスコットとするのに適する形象を備え、かつ、打ったボールの止まった位置を指示するようボールに代えてコースにおいたときに、離れたところから容易に見出せる標識能力のよい構成のものとすることと、公認のゲーム及びプライベートなゲームでの使用において、マナーをまもるために、平盤型・コイン型のマーカーと随時いれかえて使用できるよう、併用所持が適確・容易に行えるようにすることにある。
【課題を解決するための手段】
【００１１】
本考案においては、上述の課題を解決するための手段として、平盤型に成形したマーカーの上面側に、所定の観念を有する立体形状のフィギュアを一体的に保持せしめ、マーカーの下面側に、ゴルフキャップの庇に嵌装するクリップの、鉄材よりなる磁性の吸着部に対し磁力により吸着するマグネットを装着したことを特徴とするゴルフゲーム用のマーカーを提起し、また、これに併せて、
平盤型に成形したマーカーの上面側に立体形状・立体造形のフィギュアを、一体的に取り付け保持せしめ、マーカーの下面側には、マグネットを装着したフィギュア付きマーカーと、平盤型のマーカーの下面側にマグネットを装着したマーカーと、ゴルフキャップの庇に対し挟着する一対のバネ片よりなるクリップ状の装着部を有し、その装着部の、上下の両面に磁石に感応して吸着させる鉄材よりなる吸着部をそれぞれ設けているクリップと、からなり、クリップの上面側の吸着部に、フィギュア付きのマーカーを、マグネットの吸着により保持せしめ、クリップの下面側の吸着部に、平盤型のマーカーをマグネットの吸着により保持せしめたゴルフゲーム用のマーカーを提起するものである。
【考案の効果】
【００１２】
本考案によるゴルフゲームに使用するマーカーは、平盤型のマーカーの上面側に立体形状のフィギュアを付設したものである。
【００１３】
このマーカーは、打ったゴルフボールの停止した位置に、ボールに代えて置いたとき、付設したフィギュアが上方に突出して標柱のようになるから、離れたところからも簡単に見出し、探し出せるようになる。
【００１４】
また、付設した立体形状のフィギュアは、特定の観念を持ったものに成形されるから、これを用いて良いプレーがでたときの再現を望むよう縁起物・マスコットとして愛用するのに恰好のものとなり、ゴルフゲームの興趣を盛り上げるようになる。
【００１５】
また、ゴルフキャップの庇・鍔に挟み付けて装着しておくクリップに、それの上面側にはフィギュア付きのマーカーをマグネットにより吸着・保持させ、クリップの下面側に公認の平盤型のマーカーをマグネットにより吸着・保持させて、平盤型のマーカーと併せて所持するようにしたときは、グリーンのカップ近くのこんだところでは、平盤型のマーカーを使用することでマナーをみだすことなく使用できる。
【図面の簡単な説明】
【００１６】
【図１】平盤型のマーカーの上面側視の斜視図である。
【図２】同上のマーカーの下面側視の斜視図である。
【図３】同上のマーカーをゴルフキャップの庇に保持せしめるためのクリップの使用状態の斜視図である。
【図４】本考案を実施せるフィギュア付きのマーカーの上方視の斜視図である。
【図５】同上マーカーの下方視の斜視図である。
【図６】同上マーカーのフィギュアを取り付ける工程途上の斜視図である。
【図７】同上マーカーを保持せしめるクリップの側面視である。
【図８】同上クリップの平面図である。
【図９】同上クリップの底面図である。
【図１０】同上クリップの、ゴルフキャップの庇に装着して、フィギュア付きのマーカーと平盤型のマーカーの両方を保持せしめた状態の斜視図である。
【図１１】同上状態のクリップの縦断側面図である。
【考案を実施するための形態】
【００１７】
次に実施の態様を実施例につき図面に従い詳述する。
【実施例１】
【００１８】
図４乃至図１１は、本考案を実施せるフィギュア付きのマーカー及びこれをゴルフキャップの庇（鍔）に保持せしめるためのクリップを示し、図４はフィギュア付きマーカーの斜視図、図５は同上の下面側から見た斜視図、図６は同上マーカーのフィギュアを取り付ける途上の斜視図、図７は同上マーカーを吸着保持せしめるクリップの側面図、図８は同上クリップの平面図、図９は同上クリップの底面図、図１０は同上クリップをゴルフキャップの庇に挟着させた使用状態の斜視図、図１１は同上状態の縦断側面図である。
【００１９】
図４乃至図６において、４はマーカー、５はこれに付設したフィギュアを示す。マーカー４は、所望の素材で適宜の形状に形成してよいが、この例においては、鉄材により通常のコイン型のマーカーと同様のコイン型に成形してあり、下面側の中央部位には円形の凹窪を成形して、小径の円盤状に形成したマグネットＭｇが嵌め込み装着してある。また、上面側には色柄の地模様を施した合成紙の上に透明なエポキシ樹脂を流した化粧板が装着してある。
【００２０】
マーカー４に付設したフィギュア５も、所望の素材で適宜の形象のものに成形してよく、また、マーカー４と一体に連続して成形してよいものであるが、この例においては、エラストマーにより、マーカー４とは別体でかつ、ダルマの形態に成形して、これをマーカー４の上面側に据え、接着剤６により接着せしめている。そして、このフィギュア５は、コイン型としたマーカー４との接着剤６による接着が適確に行えるようにするため、底面側を一つの平面に沿う平らな座面に形成して中央部位に嵌合突起を設けておき、また、マーカー４の上面側には、中央部位に嵌合凹部を設けておいて、この嵌合突起と嵌合凹部との嵌合によりフィギュア５をマーカー４の上面に据え付けて、嵌合部を接着剤で接着後エポキシ樹脂の接着剤６を流すことで固着するようにしている。
【００２１】
７は上述のフィギュア付きのマーカーをゴルフ帽の庇に保持せしめておくためのクリップであり、鉄材よりなる平板状のバネ板７０を、図７に示しているように側面視においてヘアーピン状に屈曲して、挟持片が一対に対向するように成形し、その一対の挟持片の外面側に、盤状に成形した吸着板７１を、磁性に感応する鉄材で形成して取り付けることで構成してある。
【００２２】
このクリップ７は、ゴルフのプレーの際に着用するゴルフキャップ２の庇２０に、該クリップ７の上下の挟持片を挟み付けるように差し込んで挟持させることで、その帽子２の庇２０に常時取り付けておいて、これの上面側の盤状の吸着板７１の上に、フィギュア付きのマーカー４を載せ、それのマーカー本体４０の底面のマグネットＭｇにより吸着させて、図１０の如く保持させておくことで、このフィギュア付きのマーカー４を、常時プレーヤーの手元に所持させるように用いるものであるが、さらに、該クリップ７の上下の挟持片７０ａを、磁石に感応する鉄材により形成して、帽子２の庇２０の下面側においても、マーカー４のマグネットＭｇによる吸着・保持できるようにしてあって、これにより、帽子の庇２０の上面側には、フィギュア付きのマーカー４を保持せしめ、庇２０の下面側は、平盤型のマーカー１を保持せしめることで、フィギュア付きのマーカー４と、平盤型のマーカーの両方が、常時プレーヤーの手元に用意されるようにしてある。
【符号の説明】
【００２３】
Ｍｇ    磁石
１    マーカー
２    キャップ
２０    庇
３    クリップ
３０    挟持片
４    マーカー
４０    マーカー本体
５    フィギュア
６    接着剤
７    クリップ
７０    バネ板
７０ａ  挟持片
７１    吸着板
【図１】
0003149741.tif 000003
【図２】
0003149741.tif 000004
【図３】
0003149741.tif 000005
【図４】
0003149741.tif 000006
【図５】
0003149741.tif 000007
【図６】
0003149741.tif 000008
【図７】
0003149741.tif 000009
【図８】
0003149741.tif 000010
【図９】
0003149741.tif 000011
【図１０】
0003149741.tif 000012
【図１１】
0003149741.tif 000013